(57)【要約】【課題】ワイヤハーネスに外装するプロテクタのロック部を外部に突出しないようにして、プロテクタを小型化し、かつ、ロック部が外部材と干渉されにくくすると共に、ロック部の係止力を高める。【解決手段】車両用のワイヤハーネスに外装する円環形状で、一対の半円環状の本体と蓋体とに分割し、分割端をロック結合している樹脂成形品からなるワイヤハーネス用プロテクタであって、前記蓋体の周壁には、分割端より周壁の内周側を切り込み、外周側に係止部を残して切り込み先端を外周面に開口させたロック穴を設けている一方、前記本体の周壁には、前記ロック穴と対向位置に、分割端の内周側から突出するロック片を突設し、該ロック片の突出した先端の外面側に前記ロック穴の係止部に内周側から係止するロック爪を設け、前記本体と蓋とのロック結合状態で、前記ロック片およびロック爪が前記蓋体の周壁の外周面より突出させない構成としている。【選択図】図１
2007306776.tif 000002
【特許請求の範囲】
【請求項１】
車両用のワイヤハーネスに外装する円環形状で、一対の半円環状の本体と蓋体とに分割し、一側分割端を薄肉ヒンジ部を介して連結すると共に他側分割端を開閉部としてロック結合し、あるいは、前記本体と蓋体とを別体として両側分割端をロック結合している樹脂成形品からなるワイヤハーネス用プロテクタであって、
前記蓋体の周壁には、分割端より周壁の内周側を切り込み、外周側に係止部を残して切り込み先端を外周面に開口させたロック穴を設けている一方、
前記本体の周壁には、前記ロック穴と対向位置に、分割端の内周側から突出するロック片を突設し、該ロック片の突出した先端の外面側に前記ロック穴の係止部に内周側から係止するロック爪を設け、
前記本体と蓋体とのロック結合状態で、前記ロック片およびロック爪が前記蓋体の周壁の外周面より突出させない構成としていることを特徴とするワイヤハーネス用プロテクタ。
【請求項２】
前記ロック穴は、前記周壁の内周部を直径方向と平行方向に切り込んでいると共に、前記ロック片も周壁の内周部より直径方向と平行方向に突出させている請求項１に記載のワイヤハーネス用プロテクタ。
【請求項３】
前記プロテクタで外装するワイヤハーネスは、山部と谷部とを軸線方向に交互に設けたコルゲートチューブ内に通しており、
前記本体および蓋体の内周面には半円環状の嵌合リブを突設して、前記コルゲートチューブの谷部に嵌合させ、かつ、前記本体より突設する前記ロック片の内面側に膨出部を設け、該膨出部を前記コルゲートチューブの谷部と当接するコルゲートチューブの仮止め部として機能させている請求項１または請求項２に記載のワイヤハーネス用プロテクタ。
【請求項４】
前記ワイヤハーネスは夫々コルゲートチューブに通した幹線から支線が分岐するＴ字状分岐部を有し、該Ｔ字状分岐部に外装するものであり、
前記本体および蓋体は、半円環部からなる幹線用横軸部と半円環部からなる支線用縦軸部がＴ字状に連続した形状とし、
前記幹線用横軸部の軸線方向の両側、および支線用分岐部の先端側の周方向の両側に、前記ロック穴とロック爪を備えたロック片を設け、前記本体と蓋体の幹線用横軸部と支線用縦軸部とをそれぞれロック結合している請求項１乃至請求項３のいずれか１項に記載のワイヤハーネス用プロテクタ。
【発明の詳細な説明】
【技術分野】
【０００１】
本発明は、ワイヤハーネス用プロテクタに関し、詳しくは、本体と蓋体とがロック結合されるプロテクタにおいて、ロック部を改良するものである。
【背景技術】
【０００２】
従来、自動車に配索されるワイヤハーネスには、ワイヤハーネスの電線を外部干渉材等から保護し、また方向規制するために、所要箇所に樹脂成形品からなるプロテクタを外装している。この種のプロテクタは、通常、本体と蓋体とからなり、これら本体と蓋体とはワイヤハーネスを通した状態で、ロック結合している。
【０００３】
前記プロテクタのロック構造としては、例えば、特開平６−８６４２５号公報（特許文献１）に、図７に示すプロテクタ１のロック構造が提供されている。
前記プロテクタ１はそれぞれ半円環状とした本体２と蓋体３の一端側を薄肉ヒンジ部４を介して連結し、本体２の他端側の外面に設けたロック爪５を蓋体３の他端側外面に設けたロック枠６に係止して、本体２と蓋体３とをロック結合する構成としている。
【０００４】
しかしながら、特許文献１で提供されているロック構造では、プロテクタ１の本体２と蓋体３の外面に、それぞれロック爪５とロック枠６を突出させて設けているため、本体２と蓋体３とをロック結合した状態でロック部が円環形状に組みつけられるプロテクタ１の外周面から突出した状態となり、プロテクタ１が大型化すると共に、ロック部が外部材と干渉してロックが外れる恐れがある。
また、プロテクタ１に挿通させたワイヤハーネスが外方へ拡がろうとして、蓋体３を押圧してロック枠６が外方へ撓むと、ロック爪５とロック枠６とのロックが解除される恐れもある。
【０００５】
【特許文献１】特開平６−８６４２５号公報
【発明の開示】
【発明が解決しようとする課題】
【０００６】
本発明は前記問題に鑑みてなされたものであり、ワイヤハーネスに外装するプロテクタのロック部を外部に突出しないようにして、プロテクタを小型化し、かつ、ロック部が外部材と干渉されにくくすると共に、ロック部の係止力を高めることを課題としている。
【課題を解決するための手段】
【０００７】
前記課題を解決するため、本発明は、車両用のワイヤハーネスに外装する円環形状で、一対の半円環状の本体と蓋体とに分割し、一側分割端を薄肉ヒンジ部を介して連結すると共に他側分割端を開閉部としてロック結合し、あるいは、前記本体と蓋体とを別体として両側分割端をロック結合している樹脂成形品からなるワイヤハーネス用プロテクタであって、
前記蓋体の周壁には、分割端より周壁の内周側を切り込み、外周側に係止部を残して切り込み先端を外周面に開口させたロック穴を設けている一方、
前記本体の周壁には、前記ロック穴と対向位置に、分割端の内周側から突出するロック片を突設し、該ロック片の突出した先端の外面側に前記ロック穴の係止部に内周側から係止するロック爪を設け、
前記本体と蓋体とのロック結合状態で、前記ロック片およびロック爪が前記蓋体の周壁の外周面より突出させない構成としていることを特徴とするワイヤハーネス用プロテクタを提供している。
【０００８】
前記のように、本発明のプロテクタでは、ロック片を相手側の内周側に沿わせて突出させるため、先にワイヤハーネスが挿入される本体側にロック片を設け、ロック片を蓋側の内周面に沿わせて突出させるようにしている。これは、逆として、蓋体にロック片を設けると、ワイヤハーネスが挿入されている本体の内面側にロック片を挿入させにくくなることによる。
【０００９】
前記した構成のプロテクタによれば、本体から突出するロック片を外周面から突出させずに内周面から突出させているため、該ロック片は蓋体の内周面側に突出し、蓋体に設けたロック穴に内面側から挿入されてロック穴の係止部にロック片先端のロック爪が係止して、本体と蓋体とがロック結合される。其の際、ロック爪も係止部との係止状態で蓋体の外周面より突出させていないため、ロック爪が外部材と干渉せず、ロック爪が外部材に押圧されてロックが外れる恐れはなく、かつ、プロテクタの小型化も図れる。
また、ロック片を蓋体の内周面に沿うように位置させ、外面側に突設したロック爪をロック穴の係止部に係止しているため、プロテクタ内に挿通させたワイヤハーネスが外方に拡がろうとしてプロテクタを内部側から外方へ押圧した時、ロック片が蓋体の内面に押し付けられるため、さらに強固にロック片のロック爪がロック穴に係止され、ロック結合力を高めることができる。
【００１０】
前記ロック穴は、前記周壁の内周部を直径方向と平行方向に切り込んでいると共に、前記ロック片も周壁の内周部より直径方向と平行方向に突出させていることが好ましい。
このように、ロック穴およびロック片をいずれも直径方向と平行方向とすると、ロック穴の方向とロック片の方向とを精度良く一致させて、ロック穴にロック片をスムーズに挿入することができる。
【００１１】
本発明のプロテクタに挿通するワイヤハーネスは、夫々コルゲートチューブに通した幹線から支線が分岐するＴ字状分岐部を有し、該Ｔ字状分岐部をプロテクタにより外装する場合に最も好適に用いられる。
これは、ワイヤハーネスの電線群を集束・保護するため、従来は電線群をテープ巻きしている場合が多いが、テープ巻きは熟練を要すると共に作業手数がかかるため、近時、山部と谷部とを軸線方向に交互に設けて屈曲性を高めたコルゲートチューブに電線群を通して、電線群を集束・保護している場合が多い。しかしながら、コルゲートチューブを用いた場合、ワイヤハーネスの分岐位置ではコルゲートチューブの端部から引き出された電線群が露出する問題があり、よって、この電線群が露出する分岐部をプロテクタで外装している。
【００１２】
前記Ｔ字形状とするプロテクタでは、本体および蓋体は、半円環部からなる幹線用横軸部と半円環部からなる支線用縦軸部がＴ字状に連続した形状とし、
前記幹線用横軸部の軸線方向の両側、および支線用分岐部の先端側の周方向の両側に、前記ロック穴とロック爪を備えたロック片を設け、前記本体と蓋体の幹線用横軸部と支線用縦軸部とをそれぞれロック結合している。
【００１３】
前記構成によれば、ワイヤハーネスが分岐する複雑な構造であっても、前記のようにロック部をプロテクタの外部に突出させないようにしているためプロテクタの大型化を防止することができる。また、Ｔ字状分岐部に取り付けるプロテクタでは、多方向面で本体と蓋体とがロック結合され、ロック部が外部材と干渉しやくなるが、ロック結合部が外面に突出させていないことにより、ロックを外れにくくすることができる。
さらに、分岐部ではワイヤハーネスが屈曲させるため、プロテクタがワイヤハーネスから大きな押圧力を受けるが、ロック片を蓋体の内面側に突出させているため、該ロック片は相手側の内周面に押圧されて係止力が低下しないため、ロックの外れを確実に防止することができる。
【００１４】
なお、プロテクタはワイヤハーネスのＴ字分岐部分に限らず、コルゲートチューブを通した幹線のみ或いは支線のみに外装して、方向規制や外部材に対する保護を図るために用いてもよい。この場合には、プロテクタは直管状となり、該直管を半割りした半円環状の本体と蓋体とから構成し、これら半円環部の長さ方向の両側に前記コルゲートチューブの谷部を嵌合する嵌合用リブを設けている。
【００１５】
前記コルゲートチューブに通してるワイヤハーネスの外装用のプロテクタでは、
前記本体および蓋体の内周面には半円環状の嵌合リブを突設して、前記コルゲートチューブの谷部に嵌合させ、かつ、前記本体より突設する前記ロック片の内面側に膨出部を設け、該膨出部を前記コルゲートチューブの谷部と当接するコルゲートチューブの仮止め部として機能させていることが好ましい。
【００１６】
このように、本体側に端縁よりロック片を突出させ、該ロック片の内面側にコルゲートチューブ仮止め用の膨出部を設けておくと、本体側にワイヤハーネスを嵌合して、まだ蓋体を閉じていない状態において、ワイヤハーネスに装着したコルゲートチューブの谷部を斜め上方から前記膨出部で押圧固定することができ、コルゲートチューブが本体内から抜け落ちない状態とすることができる。これにより、本体に蓋体を被せてロック結合する際に、作業員が本体内にコルゲートチューブを押さえて位置決め固定する必要がなく、ロック結合を容易にすることができる。
【発明の効果】
【００１７】
前述したように、本発明によれば、本体から突出するロック片を蓋体の内面に沿うように設けているため、本体と蓋体とをロック結合したときに、ロック片が蓋体の外面側に突出せず、プロテクタを小型化することができると共に、ロック片に外部材が干渉しないようにすることができ、ロック外れを生じにくくすることができる。
また、プロテクタに挿通させたワイヤハーネスが外方に拡がろうとしてプロテクタが内部側から外方へ押圧されると、ロック片が蓋体の内面に押し付けられるため、さらに強固にロック片のロック爪がロック穴に係止され、ロック結合力を高めることができる。
【発明を実施するための最良の形態】
【００１８】
本発明の実施形態を図面を参照して説明する。
図１乃至図５は、本発明の第１実施形態のプロテクタ１０を示し、該プロテクタ１０は、ワイヤハーネスＷ／Ｈの幹線Ｗ／Ｈ１から支線Ｗ／Ｈ２がＴ字状に分岐し、これら幹線および支線はそれぞれコルゲートチューブ３０（３０Ａ、３０Ｂ）、３１に通され、コルゲートチューブ３０、３１の端部より引き出されて電線群が露出しているＴ字状分岐部に外装するものである。
【００１９】
前記プロテクタ１０は、Ｔ形状とした本体１１と蓋体１２とからなり、本体１１は、図１に示すように、ワイヤハーネスＷ／Ｈの幹線Ｗ／Ｈ１に外装する半円環部からなる幹線用横軸部１１ａと、該幹線用横軸部１１ａの軸線方向の中央から直交方向に突出する半円環部からなる支線用縦軸部１１ｂがＴ字状に連続した形状としている。
同様に、蓋体１２も半円環部からなる幹線用横軸部１２ａと、該幹線用横軸部１２ａの軸線方向の中央から直交方向に突出する半円環部からなる支線用縦軸部１２ｂがＴ字状に連続した形状としている。
【００２０】
前記本体１１にはコルゲートチューブ３０、３１に通した幹線および支線を嵌め込んだ状態で蓋体１２を被せ、本体１１の周壁１１ｘの分割端より突設したロック片１１ｄを、蓋体１２の周壁１２ｘに穿設したロック穴１２ｆに挿入係止してロック結合している。
【００２１】
詳細には、本体１１には、幹線用横軸部１１ａの軸線方向の両側内面と支線用縦軸部１１ｂの先端内面には、前記コルゲートチューブ３０、３１の谷部３０ａ、３１ａに嵌合する半円環状の嵌合リブ１１ｃを周方向に突設し、かつ、軸線方向に間隔をあけて各位置に３本ずつ設けている。
それぞれ３本ずつ設けた嵌合リブの中央の嵌合リブ１１ｃに対応する位置には、幹線用横軸部１１ａと支線用縦軸部１１ｂの両端の分割端１１ｙから切り込み１１ｚを設け、該切り込み部分にロック片１１ｄを突設している。
【００２２】
図３（Ａ）に示すように、ロック片１１ｄは、その内面１１ｄ−１を嵌合リブ１１ｃの分割端に近接した内周端と連続させて、断面半円環状の幹線用横軸部１１ａの直径方向Ｓと平行方向に突出させ、分割端１１ｙより外方に突出させている。ロック片１１ｄの外面１１ｄ−２は周壁１１ｘの外周面より突出させず、ロック片１１ｄは周壁１１ｘの分割端１１ｙの内周側より突出させている。ロック片１１ｄの外面１１ｄ−１の突出端側には、その中央部にロック爪１１ｅを突設し、該ロック爪１１ｅの外端も周壁１１ｘの外周面の仮想延長線より外方に突出させない形状としている。
ロック片１１ｄの前記内面１１ｄ−１は、分割端１１ｙより突出した部分は前記嵌合リブ１１ｃの仮想延長線に沿うように内面側へと湾曲させ、内面側に突出させた膨出部１１ｆを設けている。これら両側の分割端１１ｙから突出するロック片１１ｄの膨出部１１ｆは、コルゲートチューブ３０を幹線用横軸部１１ａおよび支線用縦軸部１１ｂにはめ込んだ状態で上方に突出するコルゲートチューブ３０の谷部に斜め上方から嵌合させる設定としている。
なお、図３（Ａ）において、ロック片１１ｄの基部側に形成されている穴１１ｈは膨出部１１ｆを形成するための型抜き穴である。
【００２３】
一方、プロテクタ１０の蓋体１２は、本体１１と同様に、幹線用横軸部１２ａの軸線方向の両側内面と支線用縦軸部１２ｂの先端内面には、コルゲートチューブ３０、３１の谷部３０ａ、３１ａに嵌合する嵌合リブ１２ｃを周方向に延在させて、かつ、軸線方向に間隔をあけて各位置に３本ずつ設けている。
前記３本ずつ設けた嵌合リブの中央の嵌合リブ１２ｃの位置で且つ前記本体１１のロック片１１ｄと対向する位置には、蓋体１２の周壁１２ｘの両端の分割端１２ｙと近接した位置に前記ロック穴１２ｆを設けている。
【００２４】
前記ロック穴１２ｆは図３（Ｂ）に示すように、分割端１２ｙの内周側から、断面半円環状の幹線用横軸部１２ａ、支線用縦軸部１２ｂの直径方向Ｓと平行方向の切り込み１２ｄを入れ、その先端を周壁１２ｘの外周面に開口させ、該切り込み１２ｄによりロック穴１２ｆを形成している。該切り込み１２ｄを分割端１２ｙ側では内周側に設けて、外周側に係止部１２ｅを残しており、該係止部１２ｅの図中下端面１２ｅ−１が前記ロック片１１ｄのロック爪１１ｅとの係止面としている。
【００２５】
次に、前記プロテクタ１０のワイヤハーネスＷ／Ｈへの外装方法について説明する。
まず、図４に示すように、ワイヤハーネスＷ／Ｈのコルゲートチューブ３０Ａ、３０Ｂに通した幹線Ｗ／Ｈ１を本体１１の幹線用横軸部１１ａに通し、幹線Ｗ／Ｈ１に外装したコルゲートチューブ３０の谷部３０ａと本体１１の嵌合リブ１１ｃとを嵌合させると共にコルゲートチューブ３０の谷部３０ａに本体１１の膨出部１１ｆを当接させる。
次いで、コルゲートチューブ３１に通した支線Ｗ／Ｈ２を本体１１の支線用縦軸部１１ｂに通し、支線Ｗ／Ｈ２に外装したコルゲートチューブ３１の谷部３１ａと本体１１の嵌合リブ１１ｃとを嵌合させると共にコルゲートチューブ３１の谷部３１ａに本体１１の膨出部１１ｆを当接させる。
このとき、ワイヤハーネスＷ／Ｈに外装したコルゲートチューブ３０、３１は嵌合リブ１１ｃによって軸線方向に位置決めされると共に、分割端１１ｙの両端から突出したロック片１１ｄの膨出部１１ｆにより上方斜め位置から当接され、本体１１からワイヤハーネスＷ／Ｈが仮止めされて、蓋体１２を被せる前の状態で、脱落が防止される。
【００２６】
この状態で、図５に示すように、本体１１に蓋体１２を被せ、本体１１のロック片１１ｄを蓋体１２の切り込み１２ｄ内面に沿わせながら内面側からロック穴１２ｆに挿入し、該ロック穴１２ｆの係止部１２ｅにロック片１１ｄの外面に設けたロック爪１１ｅを係止して、本体１１と蓋体１２とをロック結合して、ワイヤハーネスＷ／Ｈの分岐部にプロテクタ１０を外装する。
なお、図５では、ワイヤハーネスＷ／Ｈ及びコルゲートチューブ３０、３１の図示を省略している。
【００２７】
前記構成によれば、本体１１から突出するロック片１１ｄを蓋体１２の切り込み１２ｄの内面に沿うように設けていると共に、ロック片１１ｄの外面に突設したロック爪１１ｅは半円環状の本体１１の周壁１１ｘの外周面に連続する仮想外周面より突出させないように形成しているため、本体１１と蓋体１２とをロック結合したときに、ロック片１１ｄ及びロック爪１１ｅがプロテクタ１０の外面側に突出しない。よって、プロテクタ１０を小型化することができると共に、ロック片１１ｄおよびロック爪１１ｅに外部材が干渉せずロック外れを生じにくくすることができる。
また、プロテクタ１０に挿通させたワイヤハーネスＷ／Ｈが外方に拡がろうとしてプロテクタ１０が内部側から外方へ押圧されると、本体１１に設けたロック片１１ｄが蓋体１２の内面に押し付けられるため、さらに強固にロック片１１ｄのロック爪１１ｅが係止部１２ｅに係止され、ロック結合力を高めることができる。
【００２８】
さらに、ワイヤハーネスＷ／Ｈに外装したコルゲートチューブ３０、３１の端部をプロテクタ１０の本体１１内に挿入すると、コルゲートチューブ３０、３１の谷部３０ａ、３１ａに本体１１の嵌合リブ１１ｃが嵌合されてコルゲートチューブ３０、３１が軸線方向に位置決めされる。かつ、本体１１のロック片１１ｄに設けた膨出部１１ｆも上斜め方向からコルゲートチューブ３０、３１の谷部３０ａ、３１ａに当接されて、コルゲートチューブ３０、３１が本体１１内から抜け落ちない状態となる。これにより、本体１１に蓋体１２をロック結合する際には、作業員が本体１１内にコルゲートチューブ３０、３１を押さえて位置決め固定する必要がなく、ロック結合を容易にすることができる。
【００２９】
図６（Ａ）（Ｂ）は、本発明の第２実施形態を示す。
本実施形態では、プロテクタ１０の本体１１と蓋体１２を別体とせず、本体１１の幹線用横軸部１１ａと蓋体１２の幹線用横軸部１２ａの一端側を薄肉ヒンジ部１３を介して連結して一体物としている。
よって、本体１１の幹線用横軸部１１ａと蓋体１２の幹線用横軸部１２ａには、他端側にのみ第１実施形態と同様に、本体１１の分割端１１ｙ側にロック爪１１ｅを設けたロック片１１ｄを突設する一方、蓋体１２の分割端１２ｙに近接した位置にロック穴１２ｆを設けている。
なお、他の構成及び作用効果は第１実施形態と同様のため、同一の符号を付して説明を省略する。
【図面の簡単な説明】
【００３０】
【図１】本発明の第１実施形態のプロテクタの上面側分解斜視図である。
【図２】プロテクタの下面側分解斜視図である。
【図３】（Ａ）は本体の断面図、（Ｂ）は蓋体の断面図である。
【図４】プロテクタの本体にワイヤハーネスを挿通させた状態を示す図面である。
【図５】プロテクタのロック部の断面図である。
【図６】第２実施形態のプロテクタを示し、（Ａ）は本体と蓋体とを開いた状態の断面図、（Ｂ）は本体と蓋体とをロックした状態の断面図である。
【図７】従来例を示す図面である。
【符号の説明】
【００３１】
１０  プロテクタ
１１  本体
１１ａ  幹線用横軸部
１１ｂ  支線用縦軸部
１１ｃ  嵌合リブ
１１ｄ  ロック片
１１ｅ  ロック爪
１１ｆ  膨出部
１１ｘ  周壁
１１ｙ  分割端
１２  蓋体
１２ａ  幹線用横軸部
１２ｂ  支線用縦軸部
１２ｃ  嵌合リブ
１２ｄ  切り込み
１２ｅ  ロック穴
１２ｘ  周壁
１２ｙ  分割端
３０、３１  コルゲートチューブ
Ｗ／Ｈ  ワイヤハーネス
Ｗ／Ｈ１  幹線
Ｗ／Ｈ２  支線
【図１】
2007306776.tif 000003
【図２】
2007306776.tif 000004
【図３】
2007306776.tif 000005
【図４】
2007306776.tif 000006
【図５】
2007306776.tif 000007
【図６】
2007306776.tif 000008
【図７】
2007306776.tif 000009